(57)【要約】【課題】組み立てが容易であるとともに、記録媒体に対するピックアップの移動を確実に実行できるピックアップ移動装置、およびディスク装置を提供すること【解決手段】ラック部材３１０は、取付部３１１と、駆動伝達部３１２と、連結部３１３と、規制部３１２Ｂの爪部３１２Ａとは反対側の面で突出した略円柱状の第１突起部３１４と、第１突起部３１４と対向する位置に第１突起部３１４側に向けて突出した略円柱状の第２突起部３１５と、第１突起部３１４および第２突起部３１５に嵌合するコイルバネ３２０と、を備えている。第１突起部３１４には、その外周面のラック部材３１０の開口方向に係合凹部３１４Ｂが形成されている。【選択図】図４
2009181601.tif 000002
【特許請求の範囲】
【請求項１】
ディスク状の記録媒体の情報を読み取る読取処理および前記記録媒体へ情報を記録する記録処理のうち少なくともいずれか一方を実施するピックアップを保持するピックアップ保持装置と、
前記ピックアップ保持装置を移動可能に支持するガイド部材と、
表面に螺旋状の溝部が形成されたリードスクリュを備えた移動用モータと、
前記溝部に摺動可能に係合する爪部、この爪部が一方の端部に形成されるとともに他方の端部が前記ピックアップ保持装置と接続され、前記記録媒体側に向けて開口する略Ｕ字形状の接続部、この接続部の対向する両端部のうち前記他方の端部の前記一方の端部と対向する面から略円柱状に突出した第１突起部、および、前記接続部の対向する両端部のうち前記一方の端部の前記第１突起部と対向する位置から略円柱状に突出した第２突起部、を備えたラック部材と、
前記第１突起部と前記第２突起部に嵌合され、前記爪部を前記リードスクリュに当接させる方向に付勢する付勢手段と、を具備するピックアップ移動装置であって、
前記第１突起部および前記第２突起部のうち少なくともいずれか一方の外周面には、前記付勢手段の端部が係合する係合部が形成されている
ことを特徴とするピックアップ移動装置。
【請求項２】
請求項１に記載のピックアップ移動装置において、
前記接続部は、
前記爪部を有する規制部と、
この規制部と対向する位置で前記ピックアップに取り付けられる取付部と、
前記規制部の一端と前記取付部の一端とを連結する連結部と、を備えた
ことを特徴とするピックアップ移動装置。
【請求項３】
請求項１または請求項２に記載のピックアップ移動装置において、
前記付勢手段はコイルバネである
ことを特徴とするピックアップ移動装置。
【請求項４】
請求項１ないし請求項３のいずれかに記載のピックアップ移動装置において、
前記係合部は、凹状に形成されている
ことを特徴とするピックアップ移動装置。
【請求項５】
請求項１ないし請求項４に記載のピックアップ移動装置において、
前記係合部は、前記第１突起部および前記第２突起部のうち少なくともいずれか一方の外周面上の前記接続部の開口側に形成される
ことを特徴とするピックアップ移動装置。
【請求項６】
請求項１ないし請求項５のいずれかに記載のピックアップ移動装置において、
前記係合部は、前記第１突起部に形成される
ことを特徴とするピックアップ移動装置。
【請求項７】
請求項１ないし請求項６のいずれかに記載のピックアップ移動装置において、
前記係合部は、前記連結部と接する位置に形成される
ことを特徴とするピックアップ移動装置。
【請求項８】
請求項１ないし請求項７のいずれかに記載のピックアップ移動装置において、
前記第１突起部は、前記第２突起部よりも高さが低い
ことを特徴とするピックアップ移動装置。
【請求項９】
ディスク状の記録媒体を収納可能なケース体と、
前記記録媒体を保持する記録媒体保持装置と、
ディスク状の記録媒体の情報を読み取る読取処理および前記記録媒体へ情報を記録する記録処理のうち少なくともいずれか一方を実施するピックアップと、
前記記録媒体保持装置にて保持された前記記録媒体の径方向に略沿って前記ピックアップを移動させる請求項１ないし請求項８のいずれかに記載のピックアップ移動装置と、
を具備したことを特徴とするディスク装置。
【発明の詳細な説明】
【技術分野】
【０００１】
本発明は、ピックアップを記録媒体の面方向に略沿って移動させるピックアップ移動装置、およびディスク装置に関する。
【背景技術】
【０００２】
従来、例えばＤＶＤ（Digital Versatile Disk）やＣＤ（Compact Disc）等のディスクを再生あるいは記録するディスク装置が広く利用されている。ディスク装置は、ピックアップがディスクの面方向に略沿って移動することによってディスクに書き込まれた情報を再生あるいはディスクに記録している（例えば、特許文献１および特許文献２参照）。
【０００３】
特許文献１に記載のものは、ピックアップに固定され、リードスクリュの回転をピックアップに伝達するラック体を有している。ラック体はリードスクリュの溝に歯合する歯部を有し、歯部が形成された面の裏面と、これに対向するピックアップに固定された固定部の壁面との間に圧縮コイルばねが配置されている。
【０００４】
特許文献２に記載のものは、ピックアップの係合手段であり、リードスクリュの螺旋溝に係合する歯部が設けられ、歯部のガイドシャフト側には取付部に設けられたバネ受け部があり、歯部とヒンジ部とバネ受け部でＵ字状を成している。このＵ字状の間にコイルバネが設けられている。
【０００５】
【特許文献１】特開２００３−２０８７６５号公報
【特許文献２】特開平１１−２２４４６９号公報
【発明の開示】
【発明が解決しようとする課題】
【０００６】
しかしながら、特許文献１および特許文献２のような構成では、コイルバネの端部がラック体の対向する位置に形成された突起部に嵌合しているだけである。したがって、コイルバネを組み立てる工程において、コイルバネがバネの長手方向と直行する方向から強く押されたときに、コイルバネが突起部を乗り越えて外れてしまう。その結果、ピックアップとリードスクリュとを互いに反対側へ付勢する付勢力が失われ、ラックの爪部がリードスクリュの溝から外れやすくなり、ピックアップを確実に移動させることができなくなるという問題点が一例として挙げられる。
【０００７】
本発明は、組み立てが容易であるとともに、記録媒体に対するピックアップの移動を確実に実行できるピックアップ移動装置、およびディスク装置を提供することを１つの目的とする。
【課題を解決するための手段】
【０００８】
本発明のピックアップ移動装置は、ディスク状の記録媒体の情報を読み取る読取処理および前記記録媒体へ情報を記録する記録処理のうち少なくともいずれか一方を実施するピックアップを保持するピックアップ保持装置と、前記ピックアップ保持装置を移動可能に支持するガイド部材と、表面に螺旋状の溝部が形成されたリードスクリュを備えた移動用モータと、前記溝部に摺動可能に係合する爪部、この爪部が一方の端部に形成されるとともに他方の端部が前記ピックアップ保持装置と接続され、前記記録媒体側に向けて開口する略Ｕ字形状の接続部、この接続部の対向する両端部のうち前記他方の端部の前記一方の端部と対向する面から略円柱状に突出した第１突起部、および、前記接続部の対向する両端部のうち前記一方の端部の前記第１突起部と対向する位置から略円柱状に突出した第２突起部、を備えたラック部材と、前記第１突起部と前記第２突起部に嵌合され、前記爪部を前記リードスクリュに当接させる方向に付勢する付勢手段と、を具備するピックアップ移動装置であって、前記第１突起部および前記第２突起部のうち少なくともいずれか一方の外周面には、前記付勢手段の端部が係合する係合部が形成されていることを特徴とする。
【０００９】
本発明のディスク装置は、ディスク状の記録媒体を収納可能なケース体と、前記記録媒体を保持する記録媒体保持装置と、ディスク状の記録媒体の情報を読み取る読取処理および前記記録媒体へ情報を記録する記録処理のうち少なくともいずれか一方を実施するピックアップと、前記記録媒体保持装置にて保持された前記記録媒体の径方向に略沿って前記ピックアップを移動させる請求項１ないし請求項８のいずれかに記載のピックアップ移動装置と、を具備したことを特徴とする。
【発明を実施するための最良の形態】
【００１０】
以下、本発明の一実施形態を図面に基づいて説明する。
本実施形態では、ディスク状の記録媒体としての光ディスクに情報を記録する記録処理および光ディスクの情報を読み出す読出処理を実施する処理装置であるディスク装置としてのディスクドライブを例示して説明する。例えば、携帯型のディスク装置や映像データの記録や再生のための処理をする再生装置、記録装置あるいはゲーム機などが挙げられる。また、光ディスクに限られず、磁気ディスク、光磁気ディスクなどのいずれの記録媒体に各種情報を記録、あるいは読み出すいずれのディスク装置を対象とすることができる。また、記録媒体としては、ＣＤ（Compact Disc）、ＤＶＤ（Digital Versatile Disc）、ＢＤ（Blu-ray Disc：ブルーレイディスク）、ＨＤ−ＤＶＤ（High Definition DVD）などが例示できる。
【００１１】
〔ディスクドライブの構成〕
図１は、本発明の一実施形態に係るディスク装置の内部構成を示す平面図である。図２は、前記一実施形態におけるディスク処理部の概略構成を示す斜視図である。図３は、図１の要部を示す拡大図である。図４は、図１のＩＶ−ＩＶ断面図である。
【００１２】
図１において、１００は、ディスクドライブであり、このディスクドライブ１００は、ケース体１１０を備えている。
ケース体１１０は、底部側の下ケース１１１と天面側の図示しない上ケースとにより構成され、内部に空間を有する略四角箱状に形成されている。このケース体１１０は、一面側に開口部１１２を有している。ケース体１１０内には、トレイ部１２０と、このトレイ部１２０の開口部１１２を介した進退移動を案内するレール部１３０と、トレイ部１２０の進退移動をケース体１１０内にロックする図示しないロック機構と、ディスクドライブ１００の動作の制御などを実施する図示しない制御回路部とが設けられている。
【００１３】
トレイ部１２０は、トレイ１２１を備えている。このトレイ１２１は、例えば合成樹脂などにて形成された略板状に形成され、ケース体１１０の開口部１１２から進出自在に設けられている。
また、トレイ１２１の一縁側には、トレイ１２１がケース体１１０内部に収納された状態で、ケース体１１０の開口部１１２を閉塞する化粧板１２２が設けられている。
さらに、トレイ１２１の上面側には、記録媒体としての図示しない光ディスクの径寸法より若干大きい円弧状凹部１２３が設けられている。また、トレイ１２１には、化粧板１２２側の一端部から円弧状凹部１２３の略中心に向かってディスク処理部２００が設けられている。
【００１４】
レール部１３０は、ケース体１１０の開口部１１２からトレイ１２１の進退方向に沿って配設され、トレイ１２１の両側面に沿って設けられている。
【００１５】
トレイ部１２０に設けられたディスク処理部２００は、例えば、金属板にて略板状に形成され一端が揺動自在にトレイ１２１に支持された台座部２１０を有している。この台座部２１０は、トレイ１２１の化粧板１２２側の一端部から、中心位置に向かって長手に形成されている。また、台座部２１０には、長手方向に沿って、長手状の処理開口部２１１が略中央に切欠形成されている。そして、台座部２１０の処理開口部２１１の一端側に記録媒体保持装置としてのディスク回転駆動手段２２０が配設されている。
【００１６】
ディスク回転駆動手段２２０は、図示しないスピンドルモータと、このスピンドルモータの出力軸に一体的に設けられたターンテーブル２２１と、を備えている。スピンドルモータは、制御回路部に制御可能に接続され、制御回路部から供給される電力により駆動する。ターンテーブル２２１は、トレイ１２１の略中心部に設けられるとともに光ディスクを回転可能に保持する。
【００１７】
また、台座部２１０には、図１および図２に示すように、処理移動手段２３０が配設されている。この処理移動手段２３０は、後述のピックアップボディ３０１の移動をガイドするガイド部２４０と、ガイド部２４０を移動させる移動用モータ２５０と、などを備えている。
【００１８】
ガイド部２４０は、軸方向が台座部２１０の長手方向に略沿う状態で設けられたガイド部材としての第１ガイドシャフト２４１と、処理開口部２１１を介して第１ガイドシャフト２４１と平行に配設されたガイド部材としての第２ガイドシャフト２４２と、第１ガイドシャフト２４１および第２ガイドシャフト２４２のそれぞれの両端側に設けられたガイド保持部としての４個のシャフト位置調整機構２４３と、を備えている。
【００１９】
ガイド部２４０は、後述のピックアップボディ３０１を移動可能に支持する。
シャフト位置調整機構２４３は、第１ガイドシャフト２４１および第２ガイドシャフト２４２を、ターンテーブル２２１で保持された光ディスクに対して接離可能に保持する。
【００２０】
移動用モータ２５０は、表面に螺旋状の係合溝２５１Ａが形成されたリードスクリュ２５１と、電動用モータ２５２と、を備えている。
リードスクリュ２５１は、第２のガイドシャフト２４２の近傍に、この第２ガイドシャフト２４２と平行に配設されている。具体的には、リードスクリュ２５１は、台座部２１０に切り起こし形成された第１モータ軸支持部２１２に設けられた軸嵌合部２１２Ａと、第２モータ軸支持部２１３の第２支持孔部２１３Ａとに、両端側が挿通されて、軸方向に振動可能に支持されている。
電動用モータ２５２は、リードスクリュ２５１における第１モータ軸支持部２１２で支持された側の一方の端部に設けられている。この電動用モータ２５２は、図示しない電圧印加部により印加される電圧によりリードスクリュ２５１を軸方向に伸縮させて振動させ、後述するピックアップボディ３０１を移動させる。
【００２１】
さらに、台座部２１０には、処理移動手段２３０に支持されたピックアップとしての情報処理部３００が配設されている。
情報処理部３００は、ディスク状の記録媒体の情報を読み取る読取処理および前記記録媒体へ情報を記録する記録処理のうち少なくともいずれか一方を実施する。この情報処理部３００は、第１ガイドシャフト２４１および第２ガイドシャフト２４２間に架橋する状態で設けられた略長方形板状のピックアップ保持装置としてのピックアップボディ３０１を備えている。このピックアップボディ３０１の長手方向の一縁には、第１ガイドシャフト２４１が係合可能な断面コ字状のガイドシャフト係合部３０２が設けられている。また、ピックアップボディ３０１の長手方向の他縁には、第２ガイドシャフト２４２が挿通可能なシャフト軸受孔３０３Ａを有するガイドシャフト受部３０３が設けられている。
すなわち、ピックアップボディ３０１は、移動経路の両側縁側に設けられた第１ガイドシャフト２４１および第２ガイドシャフト２４２により、ガイドされつつ移動する。
さらに、ピックアップボディ３０１には、光ディスクの記録面に記録された各種情報を読み取って出力回路部へ出力する読取処理や、各種情報を記録面に記録する記録処理を実施する光ピックアップ３０４が配設されている。
【００２２】
また、ピックアップボディ３０１におけるガイドシャフト受部３０３には、ピックアップボディと移動用モータ２５０とを接続し、移動用モータの駆動をピックアップボディ３０１に伝達するラック部材３１０が設けられている。
ラック部材３１０は、図３および図４に示すように、接続部としての取付部３１１、駆動伝達部３１２、および連結部３１３と、を備えている。接続部の一方の端部としての駆動伝達部３１２は係合溝２５１Ａに摺動可能に係合する爪部３１２Ａを有している。一方、接続部の他方の端部としての取付部３１１はピックアップボディ３０１と接続されている。そして、取付部３１１、駆動伝達部３１２、および連結部３１３によって、光ディスク側に向けて開口する略Ｕ字形状に形成されている。
【００２３】
取付部３１１は、ガイドシャフト受部３０３のリードスクリュ２５１と対向する側面３０３Ｂに当接する第１当接部３１１Ａと、ガイドシャフト受部３０３の台座部２１０と対向する面３０３Ｃに当接する第２当接部３１１Ｂと、により断面略Ｌ字形状に形成されている。そして、取付部３１１は、図示しないねじ等により、ガイドシャフト受部３０３に固定されている。
【００２４】
駆動伝達部３１２は、リードスクリュ２５１の螺旋状の係合溝２５１Ａに係合する２つの爪部３１２Ａと、この爪部３１２Ａをリードスクリュ２５１側へ付勢する規制部３１２Ｂと、を有する。規制部３１２Ｂは、取付部３１１の第１当接部３１１Ａと対向する位置に略平行に位置している。
【００２５】
連結部３１３は、取付部３１１および駆動伝達部３１２の台座部２１０側の端部を連結するものである。連結部３１３は、取付部３１１の第１当接部３１１Ａと略直行する板状の第１連結部３１３Ａと、第１連結部３１３Ａから連続して形成され、規制部３１２Ｂとのなす角度が鈍角となる状態に折曲形成された第２連結部３１３Ｂと、から形成される。
なお、取付部３１１、規制部３１２Ｂ、および連結部３１３により、光ディスクが載置される方向、すなわち図４における上方に向けて開口する断面略Ｕ字形状に形成されている。
【００２６】
そして、対向する取付部３１１と規制部３１２Ｂのうち、規制部３１２Ｂの面には、取付部３１１に向けて略円柱状に突出した第１突起部３１４が設けられている。
第１突起部３１４は、その先端面３１４Ａが曲面状に形成され、また略円柱状に形成された第１突起部３１４の外周面のラック部材３１０の開口側に係合部としての係合凹部３１４Ｂが形成されている。
係合凹部３１４Ｂには、後述のコイルバネ３２０の端部が係合する。
この係合凹部３１４Ｂの形状は特に限定されないが、後述のコイルバネ３２０の１本の線が係合しやすい形状、例えば、断面略矩形状であることが好ましい。なお、係合凹部３１４Ｂの開口部のリードスクリュ２５１の軸方向と直行する方向の幅は、コイルバネ３２０の線径の０．５倍以上１．５倍以下で形成されることが好ましい。この幅がコイルバネ３２０の線径の０．５倍より小さいと、コイルバネ３２０の線が係合凹部３１４Ｂに係合しないため、コイルバネ３２０が外れやすい。また、コイルバネ３２０の線径の１．５倍より大きいと、組立性が損なわれるおそれがある。
【００２７】
また、取付部３１１の第１当接部３１１Ａにおける規制部３１２Ｂと対向する面には、第１突起部３１４と対向する位置に、第１突起部３１４側に向けて第１突起部３１４よりも長く突出した略円柱状の第２突起部３１５が設けられている。
第２突起部３１５は、その先端が略円錐台状に形成されているが、この形状に限られない。例えば、第１当接部３１１Ａと同様に、先端面を曲面状に形成したものであってもよい。
【００２８】
なお、第１突起部３１４、第２突起部３１５、およびリードスクリュ２５１の中心位置は、第１当接部３１１Ａおよび規制部３１２Ｂの面方向に対して直行する一直線上に位置することが好ましい。
取付部３１１、連結部３１３および規制部３１２Ｂは断面略Ｕ字形状に一連に折曲形成され、さらに爪部３１２Ａや第１突起部３１４および第２突起部３１５と一体的に形成されている。
【００２９】
また、第１当接部３１１Ａと第１連結部３１３の両縁側に沿って、面状の補強板３１６が設けられている。補強板３１６の形状は、第１当接部３１１Ａと第１連結部３１３とがなす角度と同じ角度を有する略三角形状であり、第１当接部３１１Ａと第１連結部３１３と一体的に形成されている。この補強板３１６により、取付部３１１および連結部３１３による弾性変形を防止することができる。
【００３０】
そして、このラック部材３１０には、第１突起部３１４および第２突起部３１５に嵌合する付勢手段としてのコイルバネ３２０を備えている。
コイルバネ３２０は、両端部が第１突起部３１４と第２突起部３１５に嵌合され、爪部３１２Ａをリードスクリュ２５１に当接させる方向に付勢するものである。
コイルバネ３２０が第１突起部３１４および第２突起部３１５に嵌合する状態に取り付けられるとき、コイルバネ３２０の第１突起部３１４側の端部の線が係合凹部３１４Ｂに係合する。
このように取付部３１１および規制部３１２Ｂとの間に設けられたコイルバネ３２０は、規制部３１２Ｂをリードスクリュ２５１側へ押圧しながら移動する。これにより、ピックアップボディ３０１が移動しても、爪部３１２Ａは係合溝２５１Ａに係合したまま外れることがない。
【００３１】
また、台座部２１０の上面側には、図１に示すように、ＴＭカバー部材２９０が設けられている。
このＴＭカバー部材２９０は、例えばアルミなどの軽量金属により形成され、処理移動手段２３０、情報処理部３００の一部を覆う状態に台座部２１０に固定されている。そして、ＴＭカバー部材２９０は、光ピックアップ３０４の移動経路、すなわちターンテーブル２２１の径方向に沿って処理開口部２９１が設けられている。この処理開口部２９１により、光ピックアップ３０４が光ディスクの記録面に対向し、記録面に所定波長の光を射出可能となっている。
【００３２】
なお、ピックアップボディ３０１と、ガイド部２４０と、移動用モータ２５０と、ラック部材３１０と、にて、本発明のピックアップ移動装置が構成されている。
【００３３】
〔ディスクドライブの動作〕
次に、上記一実施形態におけるディスクドライブ１００の動作を図２および図３に基づいて説明する。ここでは、ディスクドライブ１００の動作として、処理移動手段２３０による情報処理部３００の移動処理について説明する。
【００３４】
ディスクドライブ１００の制御回路部は、例えば光ディスクに記録された情報の処理が終了した後に、処理移動手段２３０を制御して、情報処理部３００を所定の位置へ移動させる。
具体的には、制御回路部は、電圧印加部を制御して、処理移動手段２３０を構成する電動用モータ２５２に高周波の電圧を印加させる。電動用モータ２５２は、電圧が印加されると、この印加された電圧に対応した状態でリードスクリュ２５１を軸方向に伸縮させて振動させる。リードスクリュ２５１に接触する駆動伝達部３１２は、リードスクリュ２５１が回転すると、この回転によりリードスクリュ２５１の軸方向に略沿って移動する。そして、駆動伝達部３１２の移動に伴い、情報処理部３００を構成するピックアップボディ３０１は、第１ガイドシャフト２４１および第２ガイドシャフト２４２にガイドされつつ所定の位置まで移動する。
このとき、コイルバネ３２０により、ラック部材３１０の第１当接部３１１Ａと、規制部３１２Ｂとは、互いに反対側の方向に付勢されているため、爪部３１２Ａは、リードスクリュ２５１の係合溝２５１Ａに係合された状態を維持したままピックアップボディ３０１を移動させる。
【００３５】
〔ピックアップ移動装置の組み立てについて〕
次に、ピックアップ移動装置の組み立てについて説明する。ここでは、ラック部材３１０にコイルバネ３２０を取り付ける方法について説明する。
図４に示すように、ラック部材３１０は一方向に開口した断面略Ｕ字形状に形成されている。したがって、まず、ラック部材３１０の開口側からコイルバネ３２０を挿入する。そして、コイルバネ３２０を軸方向に縮めた状態で、まず、一方の端部を第２突起部３１５に嵌合させ、次に、コイルバネ３２０を軸方向に伸ばすとともに他方の端部を第１突起部３１４に嵌合させる。このとき、コイルバネ３２０の端部を係合凹部３１４Ｂに係合させる。
このようにして、コイルバネ３２０がラック部材３１０に取り付けられ、ラック部材３１０の駆動伝達部３１２および第２連結部３１３Ｂは、コイルバネ３２０の軸方向に対して弾性変形が可能な状態となる。
そして、ラック部材３１０の駆動伝達部３１２をコイルバネ３２０が縮む方向に弾性変形させながら、爪部３１２Ａをリードスクリュ２５１の係合溝２５１Ａに係合させる。
このようにして、爪部３１２Ａがリードスクリュ２５１側に付勢された状態のピックアップ移動装置を組み立てることができる。
【００３６】
〔ディスクドライブの作用効果〕
以上の上記一実施形態によれば、以下の作用効果が期待できる。
【００３７】
上述したように、上記実施形態では、ディスクドライブ１００に、ピックアップボディ３０１を支持するガイド部材２４０と、ピックアップボディ３０１の移動を駆動する移動用モータ２５０と、ピックアップボディ３０１と移動用モータ２５０とを連結するラック部材３１０と、を設けている。そして、ラック部材３１０に形成された略円柱状の第１突起部３１４の外周面のラック部材３１０の開口部側に係合凹部３１４Ｂを設けた。
このため、第１突起部３１４および第２突起部３１５にコイルバネ３２０を嵌合させたとき、コイルバネ３２０の端部が係合凹部３１４Ｂに係合する。なお、コイルバネ３２０は、第１当接部３１１Ａと規制部３１２Ｂとを、互いに反対側の方向に付勢するため、コイルバネ３２０の端部は必ず係合凹部３１４Ｂに係合することになる。
【００３８】
したがって、コイルバネ３２０をラック部材３１０に組み付ける作業工程において、コイルバネ３２０を第１突起部３１４および第２突起部３１５に嵌合させる際に、コイルバネ３２０を強く押したとしても、コイルバネ３２０の端部が係合凹部３１４Ｂに係合しているので、コイルバネ３２０は第１突起部３１４および第２突起部３１５から外れにくい。
特に、係合凹部３１４Ｂが第１突起部３１４のラック部材３１０における開口側に形成されていることにより、コイルバネ３２０の端部の線が係合凹部３１４Ｂに押さえつけられる状態となるので、コイルバネ３２０の端部の線が係合凹部３１４Ｂからより外れにくい。すなわち、ピックアップの装置の組み立てを容易に行うことができる。
また、製品化後においても、ピックアップの移動などによってコイルバネ３２０が外れて不具合が発生するおそれがないので、ピックアップを確実に移動させることができる。すなわち、品質の向上を図ることができる。
【００３９】
さらに、第１の突起部３１４よりも第２の突起部３１５を高くなるように形成した。
このため、組み立てる工程において、コイルバネ３２０を第１の突起部３１４および第２の突起部３１５に嵌合させやすい。したがって、組み立て時の容易性を向上させることができる。
【００４０】
［実施形態の変形］
なお、本発明は、上述した実施形態に限定されるものではなく、本発明の目的を達成できる範囲で以下に示される変形をも含むものである。
【００４１】
すなわち、上述した実施形態では、係合凹部３１４Ｂを、第１突起部３１４のラック部材３１０の開口部側に形成したが、第１突起部３１４の外周面であればどこに形成されてもよい。これにより、コイルバネ３２０の端部の線が係合凹部に係合するので、コイルバネ３２０が外れにくくなるため、誤ってコイルバネ３２０が外れるおそれがない。すなわち、品質向上を図ることができる。
【００４２】
また、係合凹部は、第１突起部３１４の外周面の全周に沿って設けられても良い。これにより、コイルバネ３２０がどの方向に押された場合でも、コイルバネ３２０の端部の線が係合凹部に係合するので、外れにくい。したがって、組み立て時の容易性が向上するとともに、品質をより向上させることができる。
【００４３】
さらに、上述した実施形態では、係合凹部３１４Ｂを、第１突起部３１４にのみ設けたが、第１突起部３１４と第２突起部３１５の両方に設けてもよい。このような構成であれば、コイルバネ３２０がより外れにくくなり、品質がさらに向上する。
【００４４】
また、上述した実施形態では、係合部として凹状に形成された係合凹部３１４Ｂを形成したが、コイルバネ３２０が係合する形状であればこれに限られない。例えば、第１突起部３１４の外周面上に凸状に形成された凸部を形成してもよい。これによれば、凸部と規制部の間に設けられた空間にコイルバネ３２０の端部が係合するので、前述と同様の作用効果を奏することができる。
【００４５】
さらに、上述した実施形態では、付勢手段としてコイルバネ３２０を用いたが、これに限られない。規制部３１２Ｂをリードスクリュ２５１側へ付勢するものであればよい。例えば、略円柱状に形成されたスポンジ部材や、ゴム部材などを取付部３１１と規制部３１２Ｂとの間に取り付けることができる。このような部材で構成すれば、前述と同様の作用効果を得られ、さらに、ラック部材３１０から外れにくいという効果を奏することができる。
【００４６】
そして、光ディスクを搬送するトレイ１２１を備えたドライブ構成を例示したが、例えばスロットインタイプにも適用できる。
【００４７】
また、ラック部材３１０は、弾性変形可能な材料、例えば金属板などにより形成されてもよい。このような構成にしても、上述と同様の作用効果を奏することができる。
【００４８】
その他、本発明の実施の際の具体的な構造および手順は、本発明の目的を達成できる範囲で他の構造などに適宜変更できる。
【００４９】
［実施形態の作用効果］
上述したように、上記一実施形態では、ディスクドライブ１００に、ピックアップを保持するピックアップボディ３０１と、ピックアップボディ３０１をガイドする第１ガイドシャフト２４１および第２ガイドシャフトと、ピックアップボディ３０１の移動を駆動するリードスクリュ２５１と、ピックアップボディ３０１およびリードスクリュ２５１の間にラック部材３１０が設けられている。ラック部材３１０には、コイルバネ３２０が嵌合する第１突起部３１４および第２突起部３１５が形成され、コイルバネ３２０が取り付けられる。そして、第１突起部３１４の外周面に係合凹部３１４Ｂが形成されている。
このため、組立作業の工程において、ラック部材３１０にコイルバネ３２０を取り付ける際、コイルバネ３２０を指で押してもコイルバネ３２０の端部が係合凹部３１４Ｂに係合するので、コイルバネ３２０が第１突起部３１４から外れにくい。したがって、組み立てを容易に行うことができる。
また、組立作業でない場合、例えば製品化した段階であっても、コイルバネ３２０が外れにくいので、ピックアップボディ３０１を確実に移動させることができ、品質の向上を図ることができる。
【図面の簡単な説明】
【００５０】
【図１】本発明の一実施形態に係るディスク装置の内部構成を示す平面図。
【図２】前記一実施形態におけるディスク処理部の概略構成を示す斜視図。
【図３】図１の要部を示す拡大図。
【図４】図１のＩＶ−ＩＶ断面図。
【符号の説明】
【００５１】
１００…ディスク装置としてのディスクドライブ
２４０…ピックアップ移動装置を構成するガイド部
２５０…ピックアップ移動装置を構成する移動用モータ
２５１…リードスクリュ
２５２…電動用モータ
３０４…光ピックアップ
３０１…ピックアップ移動装置を構成するピックアップボディ
３１０…ピックアップ移動装置を構成するラック部材
３１１…取付部
３１２…駆動伝達部
３１２Ａ…爪部
３１２Ｂ…規制部
３１３…連結部
３１４…第１突起部
３１４Ｂ…係合凹部
３１５…第２突起部
３２０…コイルバネ
【図１】
2009181601.tif 000003
【図２】
2009181601.tif 000004
【図３】
2009181601.tif 000005
【図４】
2009181601.tif 000006